(57)【要約】【課題】段落ち加工等のレンズ加工を格別要せずに、種々の厚みを有するレンズをそのままハーフリム枠に交換装着することができる眼鏡レンズ交換用アダプタ及び眼鏡用交換レンズユニットの提供。【解決手段】レンズの上部外形に対応した形状を有する枠体部の左右両端に、眼鏡のハーフリム枠の内周端面に形設された凹部と着脱自在に嵌合する突出片が一体成形されていると共に、当該枠体部の内周端面に、レンズの外周端面に形設された溝部と着脱自在に嵌合する突出プレートが突設されている眼鏡レンズ交換用アダプタ；当該アダプタを、外周端面に溝部が形設されたレンズに取り付けた眼鏡用交換レンズユニット。【選択図】図２
2012185253.tif 000002
【特許請求の範囲】
【請求項１】
レンズの上部外形に対応した形状を有する枠体部の左右両端に、眼鏡のハーフリム枠の内周端面に形設された凹部と着脱自在に嵌合する突出片が一体成形されていると共に、当該枠体部の内周端面に、レンズの外周端面に形設された溝部と着脱自在に嵌合する突出プレートが突設されていることを特徴とする眼鏡レンズ交換用アダプタ。
【請求項２】
前記突出プレートの左右両下端部に、レンズを保持固定するナイロンテグスの固定用穴が形設されていることを特徴とする請求項１記載の眼鏡レンズ交換用アダプタ。
【請求項３】
前記枠体部と突出片が合成樹脂製であると共に、前記突出プレートが金属製でインサート成形により枠体部と一体化されていることを特徴とする請求項１又は２記載の眼鏡レンズ交換用アダプタ。
【請求項４】
外周端面に溝部が形設されたレンズに、請求項１〜３の何れか１項記載のアダプタが取り付けられていることを特徴とする眼鏡用交換レンズユニット。
【請求項５】
前記アダプタの突出プレートが、レンズの上側の溝部に着脱自在に嵌合されていると共に、ナイロンテグスが、レンズの下側の溝部に沿って巻き締められ、突出プレートの固定用穴で固定されていることを特徴とする請求項４記載の眼鏡用交換レンズユニット。
【発明の詳細な説明】
【技術分野】
【０００１】
本発明は、使用者が容易にレンズ交換することができる眼鏡レンズ交換用アダプタ及び眼鏡用交換レンズユニットに関する。
【背景技術】
【０００２】
レンズ交換可能な眼鏡フレームの主流は、レンズをフレームに形成した溝に嵌め込むタイプである。しかし嵌め込むレンズが度付きレンズの場合、度によってレンズの厚みに差が生じるため、フレームに形成してある溝に対応させるためにはレンズのほうを加工して溝に嵌め込むしかない。具体的にはフレーム側の溝を想定される最も薄いレンズの厚さに対応するように設定し、厚いレンズを嵌め込む場合には溝に嵌るレンズ周辺部分を薄肉する、所謂「段落ち加工」を行なう。しかし、この加工にはフリーフォーム加工機と呼ばれる特殊な装置が必要であり、またこのような加工が可能なレンズ材質は粘りのあるもの（たとえばＮＸＴレンズ）に限られ、それ以外の材質だとレンズをフレームに着脱する際に、簡単にレンズが割れてしまうことがあるため、この手法は汎用性に欠ける、と云う問題があった。
【０００３】
そこで、当該交換時のレンズを保護するために、予めレンズ全周をレンズ取付具で囲んだ取付具付きレンズを一つの交換ユニットとしてハーフリム枠に着脱可能としたものも既に報告されている（例えば、特許文献１参照）。
しかしながら、この交換ユニットもレンズを取付具に形成した内溝に嵌め込むものであったため、厚みの異なる度付きレンズに対応させるためには、前記と同様に、レンズに対し段落ち加工が必要となるのが実状であった。
【先行技術文献】
【特許文献】
【０００４】
【特許文献１】特開２００１−２１５４４９号公報
【発明の概要】
【発明が解決しようとする課題】
【０００５】
本発明は、上記の如き従来の問題と実状に鑑みてなされたものであり、段落ち加工等のレンズ加工を格別要せずに、種々の厚みを有するレンズをそのままハーフリム枠に交換装着することができる眼鏡レンズ交換用アダプタ及び眼鏡用交換レンズユニットを提供することを課題としている。
【課題を解決するための手段】
【０００６】
本発明者は、上記の課題を解決すべく、種々検討を重ねた結果、レンズの外周端面に溝部を形成し、当該溝部に着脱自在に嵌合する突出プレートを備えた枠体を介して、当該レンズを眼鏡のハーフリム枠に着脱に嵌合せしめれば、極めて良い結果が得られることを見い出し、本発明を完成した。
【０００７】
すなわち、本発明は、レンズの上部外形に対応した形状を有する枠体部の左右両端に、眼鏡のハーフリム枠の内周端面に形設された凹部と着脱自在に嵌合する突出片が一体成形されていると共に、当該枠体部の内周端面に、レンズの外周端面に形設された溝部と着脱自在に嵌合する突出プレートが突設されていることを特徴とする眼鏡レンズ交換用アダプタにより上記課題を解決したものである。
【０００８】
また、本発明は、外周端面に溝部が形設されたレンズに、前記のアダプタが取り付けられていることを特徴とする眼鏡用交換レンズユニットにより上記課題を解決したものである。
【発明の効果】
【０００９】
本発明は、アダプタの突出プレートをレンズの溝に嵌合して両者を一体化するものであるため、レンズ自体の厚みには何ら影響されることなく、如何なる厚みのレンズであってもアダプタをレンズに取り付けることができる。従って、従来の段落ち加工の如きレンズへの加工は一切不要で、使用者自らがそのまま種々の度のレンズを眼鏡のハーフリム枠に容易に交換装着することが可能となる。
しかも、眼鏡のハーフリム枠へのレンズの着脱は、レンズを直接着脱するのではなく、アダプタの枠体部を介して行なうものであるため、着脱操作時におけるレンズの破損を防止することができる。
【図面の簡単な説明】
【００１０】
【図１】本発明眼鏡レンズ交換用アダプタの背面説明図。
【図２】本発明眼鏡用交換レンズユニットの背面説明図。
【図３】図２のＡ−Ａ線拡大断面説明図。
【発明を実施するための形態】
【００１１】
以下本発明の実施の形態を図面と共に説明する。
【００１２】
図１において、１０は眼鏡レンズ交換用アダプタで、枠体部１１と突出プレート１２とによって構成されている。
枠体部１１は、レンズ２１（図２参照）の上部外形に対応した形状を有し、その左右両端に、眼鏡のハーフリム枠（図示省略）の内周端面に形設された凹部と着脱自在に嵌合する突出片１１ａ，１１ｂが一体成形されている。尚、この枠体部１１の材質は特に限定されないが、合成樹脂製とするのが成形性及び嵌合性に優れ望ましい。
【００１３】
突出プレート１２は、レンズ２１の外周端面に形設された上側の溝部２１ａ（図３参照）と着脱自在に嵌合するもので、前記枠体部１１の内周端面に突設されている。この突設の具体的方法はその如何を問わないが、インサート成形により枠体部１１と一体化するのが望ましい。尚、この突出プレート１２の材質も特に限定されないが、金属製とするのが強度性に優れ望ましい。
【００１４】
突出プレート１２の左右両下端部には、ナイロンテグス２２の固定用穴１３が形設されている。この固定用穴１３は、ナイロンテグス２２を介してレンズ２１にアダプタ１０をより強固に取り付け固定する際に、当該ナイロンテグス２２の両端部を当該固定用穴１３に止着固定するために使用される。
【００１５】
図２及び図３において、２０は眼鏡用交換レンズユニットで、前記したアダプタ１０がレンズ２１に取り付けられて構成されている。
より具体的には、アダプタ１０の突出プレート１２が、レンズ２１の上側の溝部２１ａに着脱自在に嵌合されていると共に、ナイロンテグス２２が、レンズ２１の下側の溝部２１ｂに沿って巻き締められ、突出プレート１２のナイロンテグス固定用穴１３に、その両端が止着固定されている。
【００１６】
而して、斯かる眼鏡用交換レンズユニット２０の状態で、その枠体部１１の突出片１１ａ，１１ｂを眼鏡のハーフリム枠（図示省略）の内周端部に形設された凹部に嵌合せしめれば極めて容易にレンズ２１を交換装着することができる。
【符号の説明】
【００１７】
１０：眼鏡レンズ交換用アダプタ
１１：枠体部
１１ａ，１１ｂ：突出片
１２：突出プレート
１３：ナイロンテグス固定用穴
２０：眼鏡用交換レンズユニット
２１：レンズ
２１ａ：上側の溝部
２１ｂ：下側の溝部
２２：ナイロンテグス
【図１】
2012185253.tif 000003
【図２】
2012185253.tif 000004
【図３】
2012185253.tif 000005